(57)【要約】【課題】キッチンカウンタの前面開口部に生じる隙間配設されるサイドモール部材を小型化し、美観を向上するビルトイン式コンロを提供する。【解決手段】収納スペースに引き出し自在に設けられる引き出し型収納庫５の前面パネル部の左右幅が、キッチンカウンタの前面１１に形成される隙間２２の左右幅とほぼ同一の寸法を有して引き出し型収納庫前面の左右に隙間を生じず、本体２に装着される操作パネル６の左右両側にのみ隙間が生じ、この隙間２２にサイドモール部材１３が係合されて隙間を覆う構造を備える。【選択図】  図８
2004286273.tif 000002
【特許請求の範囲】
【請求項１】
キッチンユニットのカウンタに落とし込み式に組み込まれ、コンロが配設されるトップレートの下面に加熱バーナスペースを有し、その加熱スペースの下面に収納スペースを有するビルトイン式コンロにおいて、前記加熱バーナスペースを囲むバーナ本体部の前面に装着される操作パネルの両サイドにはカウンタスペースを塞ぐサイドモール部材が取り付けられ、前記収納スペースに設けられる引き出し型収納庫に設けられる引き出しの前面パネルは、その両サイドがカウンタスペース幅いっぱいまで張り出して形成されていることを特徴とするビルトイン式コンロ。
【発明の詳細な説明】
【０００１】
【発明が属する技術分野】
本発明はキッチンユニットのカウンタに落とし込み式に組み込んで一体的に収納されるビルトイン式ガスコンロに関し、更に詳しくは、収納スペースに引き出し自在の収納庫を備えるとともに、キッチンカウンタの前面開口部を塞ぐサイドモールを備えるビルトイン式コンロに関する。
【０００２】
【従来の技術】
キッチンカウンタに落とし込み式に組み込んで収納されるビルトイン式コンロは、バーナなどが収納されるバーナ部本体の前面に操作パネルが装着されると共に上部にはトッププレートが配設されるという構成を有する。そして、キッチンカウンタの上面に形成される略方形の開口部からバーナ本体部を落とし込むようにして挿入され、操作パネルをキッチンカウンタの前面に形成される開口部から露出するように組み付けられる。
【０００３】
このビルトイン式コンロをカウンタに組み付けるためのカウンタトップの開口部及びカウンタ前面の開口部の位置・形状・寸法は規格で定められており、ビルトイン式コンロはこの開口部の寸法等にあわせて組み付け可能に設計される。このため、ビルトイン式コンロの本体の幅は、カウンタトップ及びカウンタの前面に形成される開口部の幅より短い寸法となるように構成される。従って、ビルトイン式コンロをキッチンカウンタに組み付けると、操作部の左右に隙間が形成されるため、操作部の左右両側にサイドモールを配設して隙間を塞でいる（特許文献１、２、３参照）。
【０００４】
しかしながらこのような構成では、キッチンカウンタの前面開口部の高さ寸法の全高に亘り隙間が生じるため、この隙間を塞ぐためにはこの開口部の高さ寸法と略同一の寸法を有するサイドモール部材が必要であり、サイドモール部材が大きくなり外観上の美観を向上させることができなかった。
【発明が解決しようとする課題】
【０００５】
このような課題を解決するため、本発明は、操作パネルの両側端に配設されるサイドモール部材の寸法を小さくすることができ、これにより美観の向上を図ることができるビルトイン式コンロを提供するものである。
【０００６】
【特許文献１】
特開平９−２８０５７４号公報
【特許文献２】
特開平１０−１１０９５７号公報
【特許文献３】
特開平１０−２５７９３０号公報
【０００７】
【課題を解決するための手段】
前記課題を解決するため請求項１に記載の発明は、キッチンユニットのカウンタに落とし込み式に組み込まれ、コンロが配設されるトップレートの下面に加熱バーナスペースを有し、その加熱スペースの下面に収納スペースを有するビルトイン式コンロにおいて、前記加熱バーナスペースを囲むバーナ本体部の前面に装着される操作パネルの両サイドにはカウンタスペースを塞ぐサイドモール部材が取り付けられ、前記収納スペースに設けられる引き出し型収納庫に設けられる引き出しの前面パネルは、その両サイドがカウンタスペース幅いっぱいまで張り出して形成されていることを要旨とするものである。
【０００８】
かかる構成によれば、キッチンユニットのカウンタスペース内に組み込み、バーナ本体部にサイドモールを取り付け、また引き出し型収納庫を収納スペースに納めたときに、引き出し型収納庫の前面パネルの左右両側には隙間が生じず、操作パネルの両側にのみ隙間が生じることになるため、この隙間を塞ぐためのサイドモール部材の上下寸法を引き出し型収納庫の前面パネルの前面パネルの上下寸法分だけ小さくなる。
【０００９】
【発明の実施の形態】
以下に本発明の一実施の形態について、図面を参照して詳細に説明する。図１は本発明に係るビルトイン式コンロの外観斜視図である。図に示したビルトイン式コンロ（調理用ガステーブルコンロ）１は、キッチンユニットのカウンタに落とし込み式に組み込んで一体的に収納されるもので、カウンタトップに設けられる四角形状の取付孔に落とし込み、左右に張り出させたトッププレート３をその取付孔の内周縁状上に係止させることにより、キッチンユニットのカウンタに一体で収納されてなるものである。
【００１０】
このビルトイン式コンロ１は、トッププレート３の上面に右コンロ７、左コンロ８、奥コンロ９を有し、各コンロ上には五徳が設けられる。そしてトッププレート３の下面には各コンロのガスバーナの収容スペースを有する方形枠形状のバーナ本体部２を備え、更にその下面には取付アングル４により形成される収納スペースを備え、前記バーナ本体部２の前面には操作パネル６が装着されて各コンロのバーナ点火用操作つまみ１０、１１、１２が取り付けられ、また、このコンロを使用するに際してタイマー設定などの各種機能を選択操作できる機能選択操作部１４、及び各種電気制御等の電源電池が収納される電池ケース１５がその操作パネル６の前面と面一に備え付けられている。なお、前記機能選択操作部１４は、プッシュ式に操作パネル６面から前面へパネル面が飛び出し、そのパネル面の各操作ボタンを押すことにより各機能を操作できるようになっている。
【００１１】
バーナ部本体の左右両側板の前面近傍に取り付けられて操作パネルの左右両側の隙間を塞ぐためのサイドモール部材１３の外観を図２に示す。図２（ａ）はバーナ部本体前面側から見た図であり、図２（ｂ）は裏面側から見た図である。このサイドモール部材１３は、一方が開口した略直方体の箱状の部材で、箱の底面に相当する部分が、ビルトイン式コンロ１に組み付けられた際に前記隙間を塞いでキッチンカウンタの前面開口部から露出する部分であり（前面１７６）、弾発性を有する合成樹脂などから一体に形成される。この前面１７６の上下高さ寸法は、操作パネルの上下高さ寸法に略同一に設計され、左右幅寸法は隙間の左右幅寸法に略同一に設計される。そして裏面側からは板状の装着部１７３が延設され、その先端近傍にはボス孔１７４が、先端の外側面には傾斜面であるガイド面１７５が形成される。
【００１２】
図３は図１に示すＡ部とサイドモール部材１３の拡大図である。バーナ部本体２の側面の前面近傍には、操作パネル６を取り付けるための操作パネル取付孔１７０と、サイドモール部材１３を取り付けるための挿入ガイド１７１及び位置決めボス１７２とが形成される。挿入ガイド１７１は、サイドモール部材１３の装着部１７３が挿入される貫通孔であり、バーナ部本体２の側面に上下方向に平行する２本の切り込みを形成し、この切り込みに挟まれる部分を外側に張り出させることにより形成される。位置決めボス１７２はバーナ本体部２から外側に向かって張り出す突起であり、前記挿入ガイド１７１の後方に上下に並べて２個がプレス加工により形成される。
【００１３】
引き出し型収納庫５は、図４にその外観斜視図、図５に分解斜視図を示したように、金属板の板金加工により形成される上面が開口した略箱形形状の収納庫本体６０の前面に収納庫前面パネル６１が装着されるもので、収納庫前面パネル６１は、金属板の板金加工により形成される引き出しパネル部材６２と、この引き出しパネル部材６２がスライド式に係合されるパネル裏板部材６３、及び引き出しパネル部材６２とパネル裏板部材６３との係合両端面に弾発性をもって装着されるモール部材６４とにより構成される。
【００１４】
引き出し型収納庫５の収納庫本体６０は、上面及び前面側が開口し、底板９０、側板９１、後板９２から構成される底の浅い略箱状の部材であり、金属板材から板金加工により形成される。側板９１には収納庫の内側面に取り付けられるガイドローラ（図示せず）によってスライドされるガイド部材６５を取り付けるためのガイド部材取付孔９３が形成されると共に、両側板９１、９１の引き出し側付近にはパネル取付金具６６を取り付けるための金具取付孔９４、９４が形成される。また、両側板９１、９１及び後板９２の上端には強度確保及び使用時の安全を確保するため折返し９５が形成される。そしてこの収納庫前面パネル６１はパネル取付金具６６を収納庫本体６０の両側板９１、９１に外側からネジ６８止めすることにより収納庫本体６０の前面に取付けされる。
【００１５】
前記引き出しパネル部材６２は、例えばステンレス板の折曲加工により上辺及び下辺がそれぞれ後面側にほぼ直角に折り曲げられた上折曲辺７１及び下折曲辺７２が形成され、更にその上折曲辺７１及び下折曲辺７２の後端が更に直角に折り曲げられて前記パネル裏板部材６３をスライド式に装着し係止させる係止片７３、７３が形成される。また引き出しパネル部材６２にはやはりプレス折り曲げ加工により長手方向の左右全幅に亘り指先を引っ掛けて引き出すことができるよう前面パネル側が開口した断面略平行四辺形状の凹窪み枠状の手掛け部７５が形成される。この手掛け部７５の裏側面と前記係止片７３、７３の内側面の位置はパネル裏板部材６３がこの引き出しパネル部材６２の手掛け部７５の背面にがたつき無く当接可能なように、ほぼ一致するように寸法設計される。
【００１６】
前記パネル裏板部材６３は、長方形の板金の上辺にあたる一長辺が直角に折り曲げられ、前記引き出しパネル部材６２の上折曲辺７１及び係止片７３の部分に係合される係合片７６が一体に形成される。この係合片７６の幅は前記引き出しパネル部材６２の上折曲辺７１の幅より僅かに小さく、引き出しパネル部材６２の前面と係止片７３との間に挿入可能な寸法を有する。また、このパネル裏板部材６３の四隅近傍には、収納庫本体６０の前面にこの収納庫前面パネル６１を取り付けるためのパネル取付金具６６を装着するための取付孔７８が形成される。
【００１７】
パネル取付金具６６及び押さえ板６７は何れも金属板材から一体に形成される部材である。パネル取付金具６６はアングル状の部材であり、パネル裏板部材６３と当接して固定する面１０１と、収納庫本体６０に当接して固定する面１００とから構成され、各面１００、１０１には取付孔１０２、１０３が形成される。なお、パネル裏板部材６３と当接して固定する面１０１に形成される取付孔１０３は普通の貫通孔であるが、収納庫本体６０に当接して固定する面１００に形成される取付孔１０２はアングルの外側へ向かって張り出すバーリング孔である。また、押さえ板６７は略方形の板材であり、その略中央には貫通孔である取付孔１０４が形成される。
【００１８】
図６はモール部材の外観斜視図であり、（ａ）は裏面側から見た図、（ｂ）は前面側から見た図である。モール部材６４は弾発性を有する合成樹脂による一体成型品であって、その長辺は前記引き出しパネル部材６２の高さ方向の寸法に、短辺は引き出しパネル部材６２の上折曲辺７１及び下折曲辺７２の幅方向寸法それぞれ略同一に形成される。そして、両短辺及び長辺の両端近傍にかけて、外縁から引き出しパネル部材６２を形成する板材の厚さ分だけ内側に略「コ」の字状の第１挿入部８５が立設される。この第１挿入部８５には先端近傍に係止片８７が突設される。また、長辺の中央付近にも断面が略「コ」の字状の第２挿入部８６が対向するように形成される。
【００１９】
これら部材から構成される収納庫前面パネル６１の組み付けは次のようにして行われる。まず引き出しパネル部材６２をパネル裏板部材６３にスライドさせるように係合する。この際、引き出しパネル部材６２の手掛け部７５の背面がパネル裏板部材６３に当接し、引き出しパネル部材６２の係止片７３の内面がパネル裏板部材６３の上下両長辺に係止するため、引き出しパネル部材６２がパネル裏板部材６３に仮固定される。これにより引き出しパネル部材６２とパネル裏板部材６３とにより断面が長方形の筒が形成される。
【００２０】
その後筒状となったの両端の開口部にモール部材６４を挿入し、モール部材６４に形成される係止片８７をパネル裏板部材６３に形成される係止孔７７と係合させる。これによりモール部材６４はパネル裏板部材６３から抜脱不能に固定されると共に、各挿入部８５、８６が引き出しパネル部材６２とパネル裏板部材６３に当接して変形が防止される。これにより、ネジ等を用いる必要がなく、引き出しパネル部材６２、パネル裏板部材６３、モール部材６４が一体的に組み付けられて収納庫前面パネル６１が形成される。
【００２１】
そして図７に示すように、パネル取付金具６６をパネル裏板部材６３に形成される取付孔７８にネジ７９で固定する。そしてパネル取付金具６６が収納庫本体６０の側板９１の内側に当接し、この収納庫本体６０の側板９１の外側に押さえ板６７を当接し、この押さえ板６７をパネル取付金具６６にネジ６８で固定して、収納庫本体６０の側板９１をパネル取付金具６６と押さえ板６７とで挟持するように固定する。これにより、収納庫前面パネル６１と収納庫本体６０とが一体となる。その後収納庫本体６０の側板９１のガイド部材取付孔９３にガイド部材６５を装着する。これにより引き出し型収納庫５が完成する。
【００２２】
このような構成を有するビルトイン式コンロ１を組み付ける操作は次のようにして行われる。図８は本発明に係るビルトイン式コンロ１の組み付け操作を模式的に示した外観斜視図である。まず、取付アングル４から引き出し型収納庫５を取り外した状態でキッチンカウンタ上面２０の開口部からビルトイン式コンロ１を落とし込み、キッチンカウンタ前面２１の開口部から操作パネル６が露出するようにキッチンカウンタに組み付ける。この組み付け操作は一般的なビルトイン式コンロの組み付け操作と変わるところはない。尚、前記構成を有する引き出し型収納庫５はビルトイン式コンロ１をキッチンカウンタに組み込んだ状態で収納スペースへの収納及び収納スペースからの取り出しが可能である。
【００２３】
その後、操作パネル６の両側面に生じる隙間にサイドモール部材１３を前面側から矢印ａの向きに挿入する。図９は前記本体２の側板にサイドモール部材１３を組み付けた状態を示した断面図である。サイドモール部材１３の挿入部１７３を本体２の前面側から挿入ガイド１７１に挿入すると、挿入部１７３の先端が位置決めボス１７２に当接し、ガイド面１７５に沿って挿入部１７３が弾性変形して位置決めボス１７２を乗り越える。更に挿入すると、位置決めボス１７２とボス孔１７４とが嵌合して挿入部１７３は元の形状に戻り、サイドモール部材１３は本体２の側面に固定される。
【００２４】
尚、図８は引き出し型収納庫を既に収納スペースに収納した状態を示しているが、引き出し型収納庫５の収納はサイドモール部材１３の取付の後でも良く順序は問わない。
【００２５】
サイドモール部材１３を取り外しは、引き出し型収納庫５を取り外した後、挿入部１７３の先端を本体２の側板から引き剥がすように弾性変形させて位置決めボス１７２とボス孔１７４との嵌合を外し、前面側に引き抜くことで可能となる。
【００２６】
このような構成されたビルトイン式コンロによれば、引き出し型収納庫の前面パネルの左右両側には隙間は生じないため、隙間を塞ぐためのサイドモール部材の寸法を小型化することができる。そしてこのため、ビルトインコンロの前面の美観を向上させことができる。
【００２７】
以上本発明の一実施の形態について詳細に説明したが、本発明は上記実施の形態に何ら限定されるものではなく、本発明の趣旨を逸脱しない範囲で種々の改変が可能であることはいうまでもない。例えば、サイドモール部材のバーナ部本体の側面への装着構造は前記構造に限られるものではない。
【００２８】
【発明の効果】
請求項１に係る発明によれば、引き出し型収納庫の前面パネルの左右両側にはサイドモール部材を配設する必要がないため、外観上すっきりとした印象を与えることができ、美観を向上させることができる。また、従来のサイドモール部材に比較して上下方向寸法を小さくすることができる。
【図面の簡単な説明】
【図１】本発明に係るビルトイン式コンロの外観斜視図である。
【図２】サイドモール部材の外観斜視図であり、（ａ）はビルトイン式コンロの前面側から、（ｂ）はビルトイン式コンロの裏面側から見た図である。
【図３】図１に示したサイドモール部材取付部分（Ａ部）の拡大斜視図である。
【図４】本発明に係るビルトイン式コンロの下部に配設される引き出し型収納庫の外観斜視図である。
【図５】図４に示した引き出し型収納庫の分解斜視図である。
【図６】図４及び図５に示したモール部材を拡大して示した外観斜視図である。
【図７】収納庫本体に前面パネルを取り付けるパネル取付金具と引き出し型収納庫本体との組み付け構造を示した分解斜視図である。
【図８】サイドモール部材の組み付け操作を示した外観模式図である。
【図９】サイドモール部材とビルトイン式コンロとの係合状態を模式的に示した断面図である。
【符号の説明】
１  ビルトイン式コンロ
３  トッププレート
５  引き出し型収納庫
６  操作パネル
１３  サイドモール部材
１４  機能選択操作部
１５  電池ケース
２０  カウンタトップ
２１  カウンタの前面
２２  カウンタ前面に生じる隙間
【図１】
2004286273.tif 000003
【図２】
2004286273.tif 000004
【図３】
2004286273.tif 000005
【図４】
2004286273.tif 000006
【図５】
2004286273.tif 000007
【図６】
2004286273.tif 000008
【図７】
2004286273.tif 000009
【図８】
2004286273.tif 000010
【図９】
2004286273.tif 000011